(57)【要約】【課題】ヘルメットにおいて調整された位置を適切に維持することのできる連結機構、ヘッドバンド、及びヘルメットを提供する。【解決手段】連結機構は、ヘルメットを構成するメインバンド２１及び調整バンド３０同士を共通する回転軸Ｃで相対的に回転可能に連結する。連結機構は、メインバンド２１及び調整バンド３０を相対的に回転可能に連結する部材連結部２０ＪＲと、メインバンド２１及び調整バンド３０の状態として、相対的に回転可能な回転状態と、相対的に固定された固定状態とを、ボタン部材５０との係合状態に応じて定めるロック部材６０と、回転軸Ｃの軸線方向に移動することで、ロック部材６０との係合状態を変更して回転状態と固定状態とに切り替えるボタン部材５０とを備える。【選択図】図３
2019065438.tif 000002
【特許請求の範囲】
【請求項１】
ヘルメットを構成する第１の部材及び第２の部材同士を共通する回転軸で相対的に回転可能に連結する連結機構であって、
前記第１の部材及び前記第２の部材を相対的に回転可能に連結する部材連結部と、
前記第１の部材及び前記第２の部材の状態として、相対的に回転可能な回転状態と、相対的に固定された固定状態とを、操作部との係合状態に応じて定めるロック部と、
前記回転軸の軸線方向に移動することで、前記ロック部との係合状態を変更して前記回転状態と前記固定状態とを切り替える前記操作部とを備える
ことを特徴とする連結機構。
【請求項２】
前記ロック部は、前記第２の部材に対して回転不能に設けられており、
前記操作部は、前記第１の部材に対して回転不能に設けられており、
前記操作部は、前記第２の部材に対する前記第１の部材側、又は、前記第１の部材に対する前記第２の部材側に操作されることによって、前記ロック部に対して前記回転軸の軸線方向に移動するものであり、前記固定状態にあるとき前記ロック部と係合し、前記回転状態にあるとき前記ロック部と非係合となる
請求項１に記載の連結機構。
【請求項３】
前記ロック部は、前記回転軸を中心に有し、前記中心から所定の半径を有する円周上に所定の角度毎に突起を有し、
前記操作部は、前記中心から所定の半径を有する円周上に前記ロック部の突起に嵌合可能な凹部を有し、
前記操作部は、前記固定状態にあるとき、当該操作部の前記凹部が前記ロック部の前記突起に嵌合する位置に配置され、前記回転状態にあるとき、当該操作部の前記凹部が前記ロック部の前記突起に対して前記回転軸の軸線方向にずれた位置に配置される
請求項２に記載の連結機構。
【請求項４】
前記ヘルメットには、前側ヘッドバンドと後側ヘッドバンドとが連結されて周状を形成するヘッドバンドが備えられており、
前記部材連結部は、前記前側ヘッドバンドを前記第１の部材とし、前記後側ヘッドバンドを前記第２の部材としたとき、前側ヘッドバンドと後側ヘッドバンドとを回動可能に連結している
請求項１〜３のいずれか一項に記載の連結機構。
【請求項５】
前記ヘッドバンドは、前記第１の部材の外周側に前記第２の部材が連結され、
前記操作部は、前記第２の部材側への移動操作で前記固定状態とする
請求項４に記載の連結機構。
【請求項６】
前記操作部は、前記回転状態にあるとき、及び、前記固定状態にあるときの少なくとも一方において、前記軸線方向に前記第１の部材の表面から前記第２の部材の反対方向に突出しないとともに、前記軸線方向に前記第２の部材の表面から前記第１の部材の反対方向に突出しない
請求項１〜５のいずれか一項に記載の連結機構。
【請求項７】
前記操作部は、前記回転状態を前記固定状態に切り替える操作が可能な前記第１の部材と前記第２の部材との間の回転角度が複数定められている
請求項１〜６のいずれか一項に記載の連結機構。
【請求項８】
前記部材連結部は、前記回転軸の軸線方向に厚みを有し、前記第１の部材及び前記第２の部材の少なくとも一方には前記厚みを囲う周壁を有し、前記周壁の一部には前記回転軸の軸線方向に延びる切れ込みを複数有している
請求項１〜７のいずれか一項に記載の連結機構。
【請求項９】
前記ロック部は、前記回転軸を中心とする円孔を有し、
前記円孔は、その孔内に突出する突起を有し、
前記操作部は、前記円孔に挿通される円筒部を有しており、
前記円筒部は、前記円孔に対向する周面に前記回転軸の周方向に平行に延びる２本の溝を備え、
前記操作部は、前記２本の溝のうちの一方の溝に前記突起が嵌合されることで前記固定状態となり、前記２本の溝のうちの他方の溝に前記突起が嵌合することで前記回転状態となる
請求項１〜８のいずれか一項に記載の連結機構。
【請求項１０】
ヘルメットに対する前後左右の装着位置を規定するヘッドバンドであって、
前記ヘッドバンドは、前側を構成する第１の部材と後側を構成する第２の部材とが２点を連結機構によって連結されることにより周状をなすとともに、前記第１の部材の長手方向に対する前記第２の部材の相対角度が調整可能であり、
前記連結機構が請求項１〜９のいずれか一項に記載の連結機構である
ことを特徴とするヘッドバンド。
【請求項１１】
帽体と、帽体に対する前後左右の装着位置を規定するヘッドバンドとを備えるヘルメットであって、
前記ヘッドバンドは、前記帽体に対して前側に配置される第１の部材と、前記帽体に対して後側に配置される第２の部材とが２点を連結機構によって連結されることにより周状をなすとともに、前記第１の部材の長手方向に対する前記第２の部材の相対角度が調整可能であり、
前記連結機構が請求項１〜９のいずれか一項に記載の連結機構である
ことを特徴とするヘルメット。
【発明の詳細な説明】
【技術分野】
【０００１】
本発明は、ヘルメットに用いられる連結機構、ヘッドバンド、及びヘルメットに関する。
【背景技術】
【０００２】
ヘルメットは、ヘルメットの外殻を構成する半球状を有した帽体と、ヘルメット用内装物の一例であるヘッドバンドとを備える（例えば、特許文献１を参照）。
【０００３】
特許文献１に記載のヘッドバンドは、前側バンドと後側バンドとを有し、前側バンドの各端部が後側バンドの各端部のうちの対応する端部とそれぞれバンド調節具を介して接続されている。後側バンドは、その両端がバンド調節具に対して相対的に前後方向に移動することで、ヘッドバンドの作る環の大きさが調整され、ヘッドバンドの環の大きさを頭部の大きさに合わせることができる。また、後側バンドは、その両端がバンド調節具に対して上下方向に回動することで、前側バンドに対する傾きが調整され、後頭部に対してヘッドバンドがあたる位置を適切な位置に調整することができる。
【先行技術文献】
【特許文献】
【０００４】
【特許文献１】特開２０１７−５７５２５号公報
【発明の概要】
【発明が解決しようとする課題】
【０００５】
ところで、特許文献１に記載の技術等は、上下方向に対する調整を容易とする一方、一旦、使用者に対して好適な位置に調整されたヘッドバンドの上下方向位置であれ、ヘルメットを脱いだり、被ったりする際、調整位置が簡単に変化することも少なくなかった。そのため、ヘッドバンドは、上下方向に対する位置を頻繁に調整せざるを得なかった。
なお、こうした課題は、ヘッドバンドの位置調整に限られるものではなく、ヘルメット用シールドや通気孔等の位置調整においても同様である。
【０００６】
本発明は、このような実情に鑑みてなされたものであり、その目的は、ヘルメットにおいて調整された位置を適切に維持することのできる連結機構、ヘッドバンド、及びヘルメットを提供することにある。
【課題を解決するための手段】
【０００７】
以下、上記目的を達成するための手段及びその作用効果について説明する。
【０００８】
上記課題を解決する連結機構は、ヘルメットを構成する第１の部材及び第２の部材同士を共通する回転軸で相対的に回転可能に連結する連結機構であって、前記第１の部材及び前記第２の部材を相対的に回転可能に連結する部材連結部と、前記第１の部材及び前記第２の部材の状態として、相対的に回転可能な回転状態と、相対的に固定された固定状態とを、操作部との係合状態に応じて定めるロック部と、前記回転軸の軸線方向に移動することで、前記ロック部との係合状態を変更して前記回転状態と前記固定状態とを切り替える前記操作部とを備える。
【０００９】
上記課題を解決するヘッドバンドは、ヘルメットに対する前後左右の装着位置を規定するヘッドバンドであって、前記ヘッドバンドは、前側を構成する第１の部材と後側を構成する第２の部材とが２点を連結機構によって連結されることにより周状をなすとともに、前記第１の部材の長手方向に対する前記第２の部材の相対角度が調整可能であり、前記連結機構が上記に記載の連結機構である。
【００１０】
上記課題を解決するヘルメットは、帽体と、帽体に対する前後左右の装着位置を規定するヘッドバンドとを備えるヘルメットであって、前記ヘッドバンドは、前記帽体に対して前側に配置される第１の部材と、前記帽体に対して後側に配置される第２の部材とが２点を連結機構によって連結されることにより周状をなすとともに、前記第１の部材の長手方向に対する前記第２の部材の相対角度が調整可能であり、前記連結機構が上記記載の連結機構である。
【００１１】
このような構成によれば、ヘルメットにおいて２つの部材を回転可能に連結する連結機構は、その操作部が回転軸の軸線方向に移動操作されることで、２つの部材の回転状態と固定状態とを切り替える。これにより、ヘルメットにおいて調整された位置を適切に維持することができる連結機構を提供することができる。
【００１２】
この連結機構は、前記ロック部は、前記第２の部材に対して回転不能に設けられており、前記操作部は、前記第１の部材に対して回転不能に設けられており、前記操作部は、前記第２の部材に対する前記第１の部材側、又は、前記第１の部材に対する前記第２の部材側に操作されることによって、前記ロック部に対して前記回転軸の軸線方向に移動するものであり、前記固定状態にあるとき前記ロック部と係合し、前記回転状態にあるとき前記ロック部と非係合となる。
【００１３】
このような構成によれば、第１の部材と第２の部材との固定状態及び回転状態が、第１の部材に対して回転不能に取り付けられた操作部と、第２の部材に回転不能に取り付けられたロック部との係合及び非係合とによって切り替えられる。
【００１４】
この連結機構は、前記ロック部は、前記回転軸を中心に有し、前記中心から所定の半径を有する円周上に所定の角度毎に突起を有し、前記操作部は、前記中心から所定の半径を有する円周上に前記ロック部の突起に嵌合可能な凹部を有し、前記操作部は、前記固定状態にあるとき、当該操作部の前記凹部が前記ロック部の前記突起に嵌合する位置に配置され、前記回転状態にあるとき、当該操作部の前記凹部が前記ロック部の前記突起に対して前記回転軸の軸線方向にずれた位置に配置される。
【００１５】
このような構成によれば、操作部が固定位置にあるとき、ロック部の突起と操作部の凹部とが嵌合して回転軸を中心とした回動が停止され、操作部が回転位置にあるとき、ロック部の突起と操作部の凹部とが回動する方向に干渉しないので回転軸を中心とした回動が可能になる。これにより、第２の部材と第１の部材とは、相対的な固定（停止）及び回動を切り替えられるようになる。
【００１６】
この連結機構は、前記ヘルメットには、前側ヘッドバンドと後側ヘッドバンドとが連結されて周状を形成するヘッドバンドが備えられており、前記部材連結部は、前記前側ヘッドバンドを前記第１の部材とし、前記後側ヘッドバンドを前記第２の部材としたとき、前側ヘッドバンドと後側ヘッドバンドとを回動可能に連結している。
【００１７】
このような構成によれば、後側ヘッドバンドを前側ヘッドバンドに対して回動可能に連結させることができる。すなわち、ヘルメットの後方で後側ヘッドバンドを上下移動させることが可能になる。これにより、ヘッドバンドの調整可能な範囲が広げられるようになる。
【００１８】
また安全確保の観点から被りの深いヘルメットも少なくないが、こうしてヘッドバンドがヘルメット内に深く入り込んだヘルメットであれ、後側ヘッドバンドの位置を下げることによりバックルをヘルメットから露出させて締め付け調整を容易に行うことができるようにもなる。
【００１９】
この連結機構は、前記ヘッドバンドは、前記第１の部材の外周側に前記第２の部材が連結され、前記操作部は、前記第２の部材側への移動操作で前記固定状態とする。
【００２０】
このような構成によれば、第１の部材に対して上下方向に移動する第２の部材が第１の部材の外周側にあるので、第１の部材と第２の部材との間に頭髪等が挟み込まれたりするおそれが小さい。また、頭部側への突出が少なくなり、頭部への接触等が生じるおそれが小さい。
【００２１】
また、ヘッドバンドの外周側にある第２の部材側への操作で固定状態になるので、第１の部材への頭部等の接触によって操作部が回転状態に操作されるおそれもない。よって、固定状態が維持される。
【００２２】
この連結機構は、前記操作部は、前記回転状態にあるとき、及び、前記固定状態にあるときの少なくとも一方において、前記軸線方向に前記第１の部材の表面から前記第２の部材の反対方向に突出しないとともに、前記軸線方向に前記第２の部材の表面から前記第１の部材の反対方向に突出しない。
【００２３】
このような構成によれば、操作部は、回転状態にあるとき、及び、固定状態にあるときの少なくとも一方で、第２の部材の表面から第１の部材の反対方向に突出しないとともに、第１の部材の表面から第２の部材の反対方向に突出しない。よって、回転状態及び固定状態の少なくとも一方にあるとき、操作部がヘッドバンドに接触するものによって操作されるおそれが低減される。特に、固定状態にある操作部を突出させなければ、使用中のヘルメットにおいて、操作部が不用意に操作されるおそれが低減されたり、物体が引っかかるおそれが低減されたりする。
【００２４】
この連結機構は、前記操作部は、前記回転状態を前記固定状態に切り替える操作が可能な前記第１の部材と前記第２の部材との間の回転角度が複数定められている。
このような構成によれば、固定状態に切り替える操作が可能な回転角度が定まっていることから、角度の位置合わせや固定が容易になる。
【００２５】
この連結機構は、前記部材連結部は、前記回転軸の軸線方向に厚みを有し、前記第１の部材及び前記第２の部材の少なくとも一方には前記厚みを囲う周壁を有し、前記周壁の一部には前記回転軸の軸線方向に延びる切れ込みを複数有している。
【００２６】
このような構成によれば、ヘルメットにおける第１の部材と第２の部材との相対角度を視認することができる。すなわち、変化させた角度を視認することができるようになる。また、角度調整が適切に行われるようにもなる。
【００２７】
この連結機構は、前記ロック部は、前記回転軸を中心とする円孔を有し、前記円孔は、その孔内に突出する突起を有し、前記操作部は、前記円孔に挿通される円筒部を有しており、前記円筒部は、前記円孔に対向する周面に前記回転軸の周方向に平行に延びる２本の溝を備え、前記操作部は、前記２本の溝のうちの一方の溝に前記突起が嵌合されることで前記固定状態となり、前記２本の溝のうちの他方の溝に前記突起が嵌合することで前記回転状態となる。
【００２８】
このような構成によれば、操作部の固定状態と回転状態とが操作部の円筒部にある溝とロック部の円孔にある突起との嵌合によって規定されるので操作部の固定状態及び回転状態への操作が容易になる。
【発明の効果】
【００２９】
本発明によれば、ヘルメットにおいて調整された位置を適切に維持することができる。
【図面の簡単な説明】
【００３０】
【図１】ヘルメットの右側を示す右側面図。
【図２】ヘルメット用のヘッドバンドの展開構造を示す平面図。
【図３】ヘッドバンドにおいて前側ヘッドバンドと後側ヘッドバンドとの連結機構を示す斜視図。
【図４】連結機構を外周面から見た分解構造を示す斜視図。
【図５】連結機構を内周面から見た分解構造を示す斜視図。
【図６】連結機構のロック部材及びボタン部材を内周面から見た構造を示す斜視図。
【図７】連結機構のロック部材及びボタン部材を外周面から見た構造を示す斜視図。
【図８】ロック部材を内面から見た構造を示す正面図。
【図９】連結機構が回転状態にあるときの断面図であって、（ａ）は図２の９−９切断線における断面図、（ｂ）は図２の１０−１０切断線における断面図。
【図１０】連結機構が固定状態にあるときの断面図であって、（ａ）は図２の９−９切断線における断面図、（ｂ）は図２の１０−１０切断線における断面図。
【発明を実施するための形態】
【００３１】
以下、図１〜図１０を参照して、連結機構、ヘッドバンド及びヘルメットを具体化した一実施形態について説明する。なお、このヘルメットは主に人の頭部に着用される頭部保護用のヘルメットである。
【００３２】
図１に示されるように、ヘルメット１は、その外殻が中空半球状の帽体１０により構成されている。帽体１０は、例えばアクリロニトリルブタジエンスチレン共重合体等のＡＢＳ樹脂によって形成されたものであり、中空の半球形状が形成する周状の開口である開口部１２には外周側に折り返された折り返し部１４が設けられている。なお、図１において右側に配置されている帽体１０の後側に対し、図１において左側に配置されている帽体１０の前側には雨や落下物等から使用者の顔面を保護するように外周方向に突出する庇部１３が設けられている。なお、このヘルメット１は、後側に後頭部側を配置させ、前側に顔面を向けるようにして着用者の頭部に装着される。また、このヘルメット１は、帽体１０において、開口部１２の開口する側が下側であり、半球形状の頂部側が上側である。また、帽体１０において、開口部１２の中心方向が内側であり、中心から離間する方向が外側である。帽体１０には、着用者の頭部に対して帽体１０の位置を固定する帯状のヘッドバンド２０が開口部１２に沿って周状に設けられている。
【００３３】
（ヘッドバンド２０）
図２を参照してヘッドバンド２０について説明する。なお、図２は、帽体１０から取り外されたヘッドバンド２０の外周面２０ｂが示されるように展開した平面図であり、このヘッドバンド２０は、帽体１０に取り付けられた状態では、両端部がヘルメット１の後側（後頭部側）に配置され、中央部がヘルメット１の前側（顔面側）に配置される。
【００３４】
ヘッドバンド２０は、周状の外側に外周面２０ｂを有し、周状の内側に内周面２０ａ（図５参照）を有する。ヘッドバンド２０は、外周面２０ｂに接続された一方の端部として調整バンド３０を有し、外周面２０ｂに接続された他方の端部として保持バンド４０を有している。調整バンド３０は、外周面２０ｂと同方向に向くバンド面３１に複数の凹部３２を有している。保持バンド４０は、外周面２０ｂと同じ方向に向くバンド面４１に調整バンド３０を重ね合わさせて保持することができるように、そこに重ね合わされた調整バンド３０の位置を固定連結するバックル４９を有している。バックル４９は、保持バンド４０と調整バンド３０との固定連結を開放操作により解除することもできる。これにより、ヘッドバンド２０は、保持バンド４０に重ねあわされる調整バンド３０の長さの変化に応じて調整される周長に基づいて頭部に対する締め付け具合が調整されるようになっている。そして、適切に調整された締め付け状態は、バックル４９が調整バンド３０と保持バンド４０との固定連結を続けることにより維持される。本実施形態では、調整バンド３０と保持バンド４０とがそれぞれ第２の部材であり、調整バンド３０及び保持バンド４０が後側ヘッドバンドを構成する。
【００３５】
また、ヘッドバンド２０には、ヘルメット１の前側から後側に渡り開口部１２を半周以上に渡って該開口部１２に沿って延びる第１の部材及び前側ヘッドバンドとしてのメインバンド２１が設けられている。メインバンド２１は、該メインバンド２１の後寄りにある左右の外周面２０ｂにそれぞれ分岐部２３を有し、各分岐部２３を介して上述した調整バンド３０及び保持バンド４０を連結させている。調整バンド３０及び保持バンド４０は、各分岐部２３から下方に延設されている。換言すると、調整バンド３０及び保持バンド４０は、分岐部２３に向けて上方に延びる中間部３４，４４を有し、中間部３４，４４を介してメインバンド２１に連結される。なお、前側から見て右側の調整バンド３０は右の分岐部２３Ｒを介してメインバンド２１に連結され、前側から見て左側の保持バンド４０は左の分岐部２３Ｌを介してメインバンド２１に連結されている。
【００３６】
メインバンド２１、調整バンド３０及び保持バンド４０はそれぞれ、低密度ポリエチレン（ＬＤＰＥ）、直鎖状低密度ポリエチレン（Ｌ−ＬＤＰＥ）、もしくは高密度ポリエチレン（ＨＤＰＥ）などのポリエチレンからなる樹脂材料から形成されている。本実施形態のＬＤＰＥは、例えば、密度０．９１０〜０．９２５［ｇ／ｃｍ３］、結晶化度４５〜５５［％］、融点９８〜１１５［℃］であり、Ｌ−ＬＤＰＥは、例えば、密度０．９１８〜０．９４０［ｇ／ｃｍ３］、結晶化度５０〜６０［％］、融点１２２〜１２４［℃］である。また、ＨＤＰＥは、例えば、密度０．９４１〜０．９７０［ｇ／ｃｍ３］、結晶化度６５〜８５［％］、融点１３０〜１３７［℃］である。なお、ヘッドバンド２０は、通常、柔らかい材料であると被り心地が向上する傾向にあるが一方、少し硬い材料であるほうが嵌合時などの強度が向上する傾向にもあることから、本実施形態では、これら被り心地と強度とに関する条件を好適な状態にすることのできる材料としてポリエチレンが選択されている。
【００３７】
メインバンド２１は、外周面２０ｂに４つのバンド係止部２２を備えており、それらバンド係止部２２が帽体１０の内面に形成されている図示しないヘッドバンド取付部に嵌合される。帽体１０は、図示しない各ヘッドバンド取付部にバンド係止部２２が嵌合されることによって、ヘッドバンド２０が取り付けられる。また、メインバンド２１は、左右それぞれの２つのバンド係止部２２の間に設定される分岐位置にそれぞれ分岐部２３を備えている。前側から見て左右に配置された２つの分岐部２３は、右側が右の分岐部２３Ｒ、左側が左の分岐部２３Ｌである。ヘッドバンド２０は、右側の分岐部２３Ｒから調整バンド３０が分岐され、左側の分岐部２３Ｌから保持バンド４０が分岐される。また、分岐部２３は、ヘルメット１の内側から外側に向かう回転軸Ｃを有しており、調整バンド３０と保持バンド４０はそれぞれ、メインバンド２１に対して上下方向である方向に回転軸Ｃを中心にして回転可能である。
【００３８】
調整バンド３０は、右の分岐部２３Ｒに対して後側に延びるように連結されている。調整バンド３０は、帯状であり、右の分岐部２３Ｒ側から順に、右の分岐部２３Ｒに連結される連結部３３と、連結部３３から下側かつ後方に延びる中間部３４と、中間部３４より後方に延び、保持バンド４０に重ね合わせることのできる調整部３５とを有している。調整部３５は、保持バンド４０に重ね合わせることができるように直線状に形成されているとともに、上述した複数の凹部３２がバンド面３１に形成されている。また、調整バンド３０は、回転軸Ｃの軸線方向における連結部３３の厚みが中間部３４とその後側よりも厚く、中間部３４から連結部３３までの間には厚みを増やす増厚部３６（図３参照）を有している。
【００３９】
保持バンド４０は、左の分岐部２３Ｌに対して後側に延びるように連結されている。保持バンド４０は、帯状であり、左の分岐部２３Ｌ側から順に、左の分岐部２３Ｌに連結される連結部４３と、連結部４３から下側かつ後方に延びる中間部４４と、中間部４４より後方に延び、調整バンド３０を重ね合わせることのできる保持部４５とを有している。保持部４５は、調整バンド３０を重ね合わせることができるように直線状に形成されている。保持部４５は、そのバンド面４１に、中間部４４からバンドの先端に向けて順に、重ね合わされた調整バンド３０をバンド面４１に沿わせて保持するバンド保持部４７と、調整バンド３０を固定するバックル４９を取り付けるバックル取付部４６と、を有している。
【００４０】
バックル取付部４６は、外方に立ち上がる側壁をバンド面４１の幅方向側辺に有し、当該側壁の間にバックル４９を支持している。バックル取付部４６とバックル４９との間には、調整バンド３０が挿通可能である間隔が確保されている。バックル取付部４６とバックル４９とは、それらの間に挿通された調整バンド３０の凹部に係止爪を係合させ調整バンド３０の抜け方向への移動を禁止して相対位置を固定するとともに、バックル４９の操作によって係止爪の調整バンド３０の凹部への係合を解除して調整バンド３０の抜け方向への移動を許可する。
【００４１】
（部材連結部２０Ｊ）
図２に示すように、メインバンド２１は左右に部材連結部２０Ｊを有している。詳述すると、右の部材連結部２０ＪＲは、メインバンド２１の右の分岐部２３Ｒと、調整バンド３０の連結部３３とを含み構成されている。左の部材連結部２０ＪＬは、メインバンド２１の左の分岐部２３Ｌと、保持バンド４０の連結部４３とを含み構成されている。なお、右の部材連結部２０ＪＲと左の部材連結部２０ＪＬとは左右対称であって同様の構造を有することから、以下では、右の部材連結部２０ＪＲについて詳細に説明する一方、説明の便宜上、左の部材連結部２０ＪＬについての説明は割愛する。
【００４２】
右の部材連結部２０ＪＲは、メインバンド２１の外周面２０ｂに垂直である回転軸Ｃを回転中心として、調整バンド３０を調整角度の範囲で上下方向に回転移動させる。調整角度の範囲は、ヘルメット１の使用者がバックル４９の配置位置を調整可能な範囲であり、例えば４０°の範囲に設定されている。
【００４３】
図３〜図５に示すように、右の部材連結部２０ＪＲは、メインバンド２１の右の分岐部２３Ｒと、調整バンド３０の連結部３３との間に、操作部としてのボタン部材５０と、ロック部としてのロック部材６０とを含み構成されている。本実施形態では、部材連結部２０ＪＲと、ボタン部材５０と、ロック部材６０とから連結機構が構成されている。
【００４４】
図３に示すように、連結部３３は、回転軸Ｃを中心とする環状の外面部３７と、外面部３７の外縁からメインバンド２１に向かって立設された外周壁３８とを備える。図５に示すように、外面部３７は、その裏面３７Ｒが外周壁３８に囲まれつつメインバンド２１に対向する。
【００４５】
図４に示すように、右の分岐部２３Ｒは、調整バンド３０への対向面である外周面２０ｂに凸設される円弧状の内側ガイド２４を有している。また、図５に示すように、連結部３３は、右の分岐部２３Ｒに対向する裏面３７Ｒに凸設される円弧状の外側ガイド３９を有している。
【００４６】
図３に示すように、ボタン部材５０は、右の部材連結部２０ＪＲにおいて回転軸Ｃを含む中心範囲に配置されているとともに、ロック部材６０に対して回転軸Ｃの軸線方向に移動可能になっている。例えば、図３は、ボタン部材５０がロック部材６０に対して押し込まれた状態である回転状態を例示する。
また、ボタン部材５０は、回転軸Ｃの回転方向に回動不可能に、かつ、回転軸Ｃの軸線方向に移動可能に右の分岐部２３Ｒに保持されている。
【００４７】
ロック部材６０は、回転軸Ｃの回転方向に回動不可能となるように、かつ、回転軸Ｃの軸線方向に移動不可能となるように調整バンド３０の連結部３３に保持されている。
【００４８】
（右の分岐部２３Ｒと連結部３３）
図４及び図５を参照して、右の分岐部２３Ｒと、連結部３３とについて詳述する。
図４に示すように、右の分岐部２３Ｒにおいて、内側ガイド２４は、メインバンド２１の外周面２０ｂに立設された壁２４Ｐと、壁２４Ｐの立設方向先端から壁２４Ｐの外方に張り出す爪２４Ｊとを備える。壁２４Ｐは、回転軸Ｃに対して所定の半径を有する円弧状の壁である。爪２４Ｊは、回転軸Ｃに離間する方向に壁２４Ｐの先端から突出する爪であって、外周面２０ｂに略平行である。内側ガイド２４及びその爪２４Ｊは、回転軸Ｃに対して点対称、かつ、弧状に設けられており、それぞれの形状を周方向に連続させているようにして、回転軸Ｃを挟んで一対として設けられている。
【００４９】
図５に示すように、連結部３３において、外側ガイド３９は、外周壁３８よりも小さい内径を有する円弧状であって、外面部３７の裏面３７Ｒに立設されている壁３９Ｐと、壁３９Ｐの立設方向先端から壁３９Ｐの内周方向に突出する爪３９Ｊとを備える。壁３９Ｐは、回転軸Ｃに対して所定の半径を有する円弧状の壁であって、所定の半径は、爪２４Ｊの最大半径と同じか少し大きい。爪３９Ｊは、回転軸Ｃに近づく方向に壁３９Ｐの先端から突出する爪であって、裏面３７Ｒに略平行である。外側ガイド３９及びその爪３９Ｊは、回転軸Ｃに対して点対称、かつ、弧状に設けられており、それぞれの形状を周方向に連続させるようにして、回転軸Ｃを挟んで一対として設けられている。
【００５０】
こうした内側ガイド２４の爪２４Ｊと、外側ガイド３９の爪３９Ｊとは周方向に連続した長さで嵌合する。そして、メインバンド２１と調整バンド３０との接続が維持される範囲で、回転軸Ｃを回転中心とした回動を可能にする。つまり、内側ガイド２４の外側に向く爪２４Ｊは、外側ガイド３９の爪３９Ｊを、外周面２０ｂとの間に挟み込むように周方向に摺動可能に保持する。また、内側ガイド２４と外側ガイド３９とが嵌合したとき、メインバンド２１の外周面２０ｂに、連結部３３の外周壁３８の先端が摺動可能に当接することで、メインバンド２１と調整バンド３０の連結部３３との間の回転軸Ｃの軸線方向の相対位置が規定される。
【００５１】
図４に示すように、メインバンド２１の外周面２０ｂは、爪２４Ｊの周方向各端部からそれぞれ周方向に所定距離離れた位置に回転止め２５が凸設されている。回転止め２５は、爪２４Ｊの端部からの距離が外側ガイド３９の爪３９Ｊの弧長よりも短い位置に設けられている。また、回転止め２５は、外周面２０ｂに凸設されていることから、外周面２０ｂの爪２４Ｊに嵌合された連結部３３の爪３９Ｊは、内側ガイド２４に対する回転範囲が周方向左右に配置された回転止め２５によって規定される。なお、内側ガイド２４に外側ガイド３９が嵌め込まれるとき、材料の弾性変形を利用して、通常使用で変形するよりも大きく変形させて嵌め込む。これにより、通常使用において生じる弾性変形によっては内側ガイド２４と外側ガイド３９とが外れるおそれがない。
【００５２】
内側ガイド２４は、壁２４Ｐの基端の外周側に沿ってメインバンド２１を貫通する貫通孔２４Ｈを備える。また、内側ガイド２４は、メインバンド２１の長手方向に対する長さが、短手方向に対する長さに比較して短い。これにより、メインバンド２１が長手方向に湾曲されたとき、内側ガイド２４の変形が抑制される。また、内側ガイド２４は、メインバンド２１の弾性を低下させるおそれがあるが、貫通孔２４Ｈによって弾性の低下が抑制される。
【００５３】
外側ガイド３９は、壁３９Ｐの基端の内周に沿って外面部３７を貫通する貫通孔３９Ｈを備える。また、外側ガイド３９は、調整バンド３０の長手方向に対する長さが、短手方向に対する長さに比較して短い。これにより、調整バンド３０が長手方向に湾曲されたとき、外側ガイド３９の変形が抑制される。また、外側ガイド３９は、調整バンド３０の弾性を低下させるおそれがあるが、貫通孔３９Ｈによって弾性の低下が抑制される。
【００５４】
図５に示すように、連結部３３の外周壁３８は、外周のうちメインバンド２１の下縁に向かう弧状の部分に目盛り３８Ａを備える。目盛り３８Ａは、外周壁３８の周方向において回転軸Ｃに対して４０°程度の範囲にあって、０°〜４０°の角度に対応する位置に１０°毎に５つの切れ込み３８Ｓを有している。切れ込み３８Ｓは、外周壁３８を表面から裏面まで貫通しており、外周壁３８の内側に配置されるロック部材６０の表面が視認可能になっている。連結部３３とロック部材６０との色彩は同系色でもよいが、色彩が相違すれば目盛り３８Ａに配置された切れ込み３８Ｓの視認性をより高めることができ、角度調整の操作も容易になる。また、メインバンド２１は、目盛り３８Ａの接する下縁において内周面２０ａに指示マーク２３Ｍが凹設されている。指示マーク２３Ｍは、視認することができれば凸設されていてもよいし、塗料等によって描画されていてもよい。目盛り３８Ａは、回転する外周壁３８において指示マーク２３Ｍに対応する範囲に設けられており、指示マーク２３Ｍに対応する切れ込み３８Ｓがメインバンド２１に対する調整バンド３０の傾きを表示する。
【００５５】
図４に示すように、右の分岐部２３Ｒには、ボタン部材５０が配置される貫通孔２３Ｈが設けられている。貫通孔２３Ｈは、回転軸Ｃを含んでメインバンド２１の外周面２０ｂから内周面２０ａ（図５参照）に貫通する。貫通孔２３Ｈは、メインバンド２１の幅方向を長手方向とする長孔であり、長手方向には平行な長辺を有し、長手方向の端部である短手方向には弧状の短辺を有する。貫通孔２３Ｈは、長辺の長さに比較して短辺の長さが短い。よって、貫通孔２３Ｈは、メインバンド２１が長手方向に湾曲されたときの変形が抑制される。
【００５６】
図５に示すように、右の分岐部２３Ｒは、内周面２０ａに回転軸Ｃの通る部分を底にする凹部２３Ａを有する。凹部２３Ａは、内周面２０ａ側に移動したボタン部材５０を、凹部２３Ａの深さに対応する長さだけ底から内周面２０ａの方向に露出させて押圧操作を可能にする。一方、右の分岐部２３Ｒは、凹部２３Ａの裏側には凹部２３Ａに対応する凸形状２３Ｂ（図４参照）を有する。よって、貫通孔２３Ｈは、凹部２３Ａの裏側である外周面２０ｂには凸形状の面に孔が形成されている。
【００５７】
図４に示すように、右の分岐部２３Ｒは、外周面２０ｂに、貫通孔２３Ｈの長辺に沿って立設される規制壁２６を備える。規制壁２６は、貫通孔２３Ｈを挟んで平行に一対として設けられている。２つの規制壁２６は、貫通孔２３Ｈを挿通するボタン部材５０を挟んでボタン部材５０の回転軸Ｃを中心とする回動を規制する。詳述すると、図５に示すように、ボタン部材５０は、貫通孔２３Ｈを挿通する断面が長丸であって軸心方向に延び棒状の内側操作部５４を有し、内側操作部５４の長側面を規制壁２６に挟むことで回転軸Ｃを中心とする回動を規制する。一方、２つの規制壁２６は、回転軸Ｃの軸線方向に高さを有することから、内側操作部５４を間に挟んでいることができる高さ範囲において、回転軸Ｃの軸線方向への移動を可能にする。
【００５８】
また、図４に示すように、規制壁２６は、貫通孔２３Ｈの長辺の中央部に対応する位置に、壁厚を増した張出部分２７を有している。張出部分２７は、規制壁２６の立設方向に対して外周面２０ｂから立設方向先端まで回転軸Ｃの軸線方向に延びる溝２７Ｇが設けられている。図５に示すように、ボタン部材５０は、内側操作部５４の長側面に溝２７Ｇに嵌合する突起５３Ｃを有している。突起５３Ｃは、ボタン部材５０が内周面２０ａの方向に最も移動したとき、溝２７Ｇの端部にある外周面２０ｂに当接してボタン部材５０の内周面２０ａの方向へのそれ以上の移動を防止するとともに、ボタン部材５０のメインバンド２１の幅方向への揺動を抑制する。
【００５９】
図４に示すように、連結部３３は、ロック部材６０が配置される貫通孔３７Ｈを有する。貫通孔３７Ｈは、回転軸Ｃを含んで調整バンド３０の内周面３０ａから外周面３０ｂに貫通するように、調整バンド３０の連結部３３に形成された円形孔である。連結部３３は、メインバンド２１の外周面２０ｂ側に配置されていることから、メインバンド２１よりも湾曲が少なく変形が小さい。つまり、貫通孔３７Ｈとしてもほとんど変形しない。
【００６０】
図５に示すように、連結部３３は、外側ガイド３９を外周壁３８の内周３８Ｂから周の中心方向に張り出すように有している。外側ガイド３９は、外周壁３８に対して４分の１周よりも短い長さで、回転軸Ｃを点対象の中心として一対として設けられている。つまり、内周３８Ｂは、２つの外側ガイド３９の間に外側ガイド３９のない部分を有している。内周３８Ｂは、外側ガイド３９がない部分と、外側ガイド３９がある部分とが、交互に２回繰り返されている。
【００６１】
（ボタン部材５０とロック部材６０）
ところで、ヘルメット１は、使用時には使用者にとって適切な状態に調整されたヘッドバンド２０であることが望ましく、また、その適切に調整された状態に維持されることが望ましい。しかし上述のように、メインバンド２１と調整バンド３０とは、内側ガイド２４と外側ガイド３９との嵌合によって所定の角度範囲で回転可能になるものの、回転角度を位置決めしたり、回転角度を固定したりする機能を有さない。そこで、本実施形態は、ボタン部材５０とロック部材６０とによって、メインバンド２１と調整バンド３０との間の回転角度の位置決めと、回転角度の固定とができるようにしている。
【００６２】
図６〜図１０を参照して、ボタン部材５０及びロック部材６０について詳述する。
まず、図５に示すように、ロック部材６０は、連結部３３の外周壁３８の内周３８Ｂに嵌る形状を有する本体部６２を備えている。本体部６２は、表面６２Ａを連結部３３の裏面３７Ｒに対向させる。本体部６２は、内側ガイド２４（図４参照）を避けて連結部３３の外周壁３８の内周３８Ｂに嵌る内側フランジ６３を有している。内側フランジ６３は、本体部６２の外縁のうち外周壁３８の内周３８Ｂに対向する位置まで張り出した部分から表面６２Ａとは反対の方向に延設されている。
【００６３】
図６に示すように、ロック部材６０は、表面６２Ａにおける略中央には連結部３３の貫通孔３７Ｈ（図５参照）に対応する円孔としての貫通孔６１を備える。
貫通孔６１は、ボタン部材５０が配置される形状を有している。貫通孔６１は、貫通孔３７Ｈ（図５参照）よりも小さい径を有し、表面６２Ａ側には貫通孔３７Ｈ（図５参照）の内周に嵌め込まれるフランジ６１Ａを備えている。
【００６４】
図８に示すように、貫通孔６１は、内周面に点状の突起６１Ｄを２つ有している。突起６１Ｄは、ボタン部材５０の外周壁５３に当接してボタン部材５０の位置決めに用いられる。２つ突起６１Ｄは、貫通孔６１において回転軸Ｃを挟んで対向する位置に設けられている。
【００６５】
貫通孔６１は、貫通孔６１をフランジ６１Ａとは反対方向に延出される延出壁６１Ｂを備える。延出壁６１Ｂは、外側ガイド３９（図５参照）に対応する角度θ２の範囲に設けられている。例えば、延出壁６１Ｂは、貫通孔６１の半径Ｄ１の内周のうちの４分の１よりも少し小さい角度θ２に対応する周長を有し、回転軸Ｃを挟んで対向配置されている。なお、角度θ２は、内側ガイド２４に外側ガイド３９を嵌め込むことができるように、角度θ１よりも少し小さい。また、角度θ１は、ロック部材６０に対するボタン部材５０の回転可能な角度を確保するためには大きいほうが好ましい。例えば、角度θ１は１００°、角度θ２は８０°である。
【００６６】
図６に示すように、延出壁６１Ｂは、その先端６１Ｇがメインバンド２１に当接する位置まで延出されている。よって、ロック部材６０が連結部３３と右の分岐部２３Ｒとの間に挟まれた状態で、本体部６２の表面６２Ａが連結部３３の裏面３７Ｒに当接し、延出壁６１Ｂの先端６１Ｇが右の分岐部２３Ｒの外周面２０ｂに当接する。
【００６７】
内側フランジ６３はそれぞれその先端６３Ｕが、延出壁６１Ｂの先端６１Ｇと同様に、メインバンド２１に当接する長さで延出されている。よって、ロック部材６０が連結部３３と右の分岐部２３Ｒとの間に挟まれた状態で、本体部６２の表面６２Ａが連結部３３の裏面３７Ｒに当接し、一対の内側フランジ６３の先端６３Ｕが右の分岐部２３Ｒの外周面２０ｂに当接する。
【００６８】
図８に示すように、内側フランジ６３は、外側ガイド３９（図５参照）のない部分に対応する角度θ１の範囲に設けられている。例えば、内側フランジ６３は、貫通孔６１の半径Ｄ１の内周のうちの４分の１よりも少し大きい角度θ１に対応する周長を有し、回転軸Ｃを挟んで対向配置されている。
【００６９】
これにより、ロック部材６０は、内側フランジ６３の外側６３Ａが外周壁３８と、内側フランジ６３の弧状端部６３Ｅが外周壁３８の内側に張り出す２つの外側ガイド３９の間に挟み込まれることで、回転軸Ｃを中心とする回転方向において、連結部３３に対して相対固定される。また、ロック部材６０は、回転軸Ｃの軸線方向において、本体部６２が連結部３３と右の分岐部２３Ｒとの間に挟まれることで、同軸線方向に対して連結部３３に相対固定される。なお、内側フランジ６３の外側６３Ａは半径Ｄ４であり、外周壁３８の内周３８Ｂは半径Ｄ４の内側フランジ６３が収納可能な大きさを有している。
【００７０】
図６に示すように、内側フランジ６３は、その内周面６３Ｂに本体部６２の裏面６２Ｂから先端６３Ｕの方向に延出される複数の突起６４を有している。複数の突起６４は、回転軸Ｃに対して９０°となる範囲に１０°の間隔毎に一つずつ全部で１０個設けられている。各突起６４は、回転軸Ｃの軸線方向において裏面６２Ｂとの境界部分６３Ｔから先端６３Ｕの方向に延出される長さが先端６３Ｕには到達しない長さである。よって、内周面６３Ｂは、回転軸Ｃの軸線方向において裏面６２Ｂ側には複数の突起６４を周方向に有する凸凹のある円弧状の面を有し、先端６３Ｕ側には突起等を有していない平らな円弧状の面を有している。
【００７１】
図８に示すように、内周面６３Ｂは、半径Ｄ３を有し、平らな円弧状の面は内径が半径Ｄ３の面であり、凸凹のある円弧状の面は、内径が半径Ｄ３よりも短くなる突起６４の部分を含む面である。
【００７２】
図６に示すように、ボタン部材５０は、ロック部材６０の内側に嵌合する形状と、右の分岐部２３Ｒの貫通孔２３Ｈの左右にある一対の規制壁２６（図４参照）に挟まれる形状とを有している。詳述すると、ボタン部材５０は、円柱状の外側操作体５１と、外側操作体５１から回転軸Ｃに対する法線方向であって回転軸Ｃを対称点として一対となる係止平面５５とを備える。係止平面５５は、外側操作体５１からロック部材６０の内側フランジ６３の方向に延出されている。係止平面５５は、外側操作体５１側に表面５５Ａを有し、内側操作部５４側に裏面５５Ｂを有している。
【００７３】
また、ボタン部材５０は、右の分岐部２３Ｒの貫通孔２３Ｈ（図４参照）に挿通される内側操作部５４と、右の分岐部２３Ｒの規制壁２６に設けられている溝２７Ｇ（図４参照）に配置される突起５３Ｃとを備える。
【００７４】
図７に示すように、外側操作体５１は、貫通孔６１、フランジ６１Ａ及び延出壁６１Ｂの間に嵌合される円筒部及び周面としての外周壁５３を有する。外周壁５３は、回転軸Ｃに垂直な方向に対して貫通孔６１を挿通可能な半径Ｄ１（図８参照）を有する。外側操作体５１は、外周側の端部に凹形状の押圧部５１Ａを有している。押圧部５１Ａは、径方向に長さを有する長孔５２を有している。長孔５２は、内側操作部５４の方向に深さを有し、内側操作部５４の内側空間を形成している。長孔５２は、内側操作部５４の成形のためや、ボタン部材５０の軽量化のために設けられている。
【００７５】
外側操作体５１は、外周壁５３の壁面に、第１の溝５３１と、第１の溝５３１よりも押圧部５１Ａから離れた位置に第２の溝５３２とを備えている。第１及び第２の溝５３１，５３２はそれぞれ、回転軸Ｃに対して４０°の角度を有する長さで外周壁５３の周方向に延びる溝である。また、第１及び第２の溝５３１，５３２は、溝の中心が回転軸Ｃの軸線方向に対して切替距離Ｌ１だけ平行に離間している。また、第１及び第２の溝５３１，５３２は、それらのいずれか一方がロック部材６０の貫通孔６１の突起６１Ｄに嵌合するようになっている。つまり、第１及び第２の溝５３１，５３２は、ボタン部材５０がロック部材６０に嵌合されたとき、突起６１Ｄに嵌合可能な範囲に設けられている。
【００７６】
図１０（ａ），（ｂ）を参照すると、第２の溝５３２と突起６１Ｄとが係合すると、外側操作体５１の押圧部５１Ａは、ロック部材６０のフランジ６１Ａの端部外周や、連結部３３の外面部３７に対して略同一の面となるようになっている。逆に、内側操作部５４は、操作部端面５４ａが内周面２０ａの凹部２３Ａの底面に略揃う位置に配置される。
【００７７】
図９（ａ），（ｂ）を参照すると、第１の溝５３１と突起６１Ｄとが係合すると、外側操作体５１の押圧部５１Ａは、ロック部材６０のフランジ６１Ａの端部外周や、連結部３３の外面部３７に対して凹んだ位置に配置される。逆に、内側操作部５４は、操作部端面５４ａが内周面２０ａの凹部２３Ａの底面から突出して、凹部２３Ａの外周を含む内周面２０ａに略揃う位置に配置される。なお本実施形態では、操作部端面５４ａが内周面２０ａから少し突出するが、突出する部分と内周面２０ａに揃う面との間に傾斜部を設け、引っ掛かり等が生じづらいようにしている。
【００７８】
図６に示すように、外側操作体５１は、押圧部５１Ａの反対側の面として内側面５３Ａを有する。内側面５３Ａは、規制壁２６（図４参照）の先端が進入できる進入スペース５３Ｂを有し、その進入スペース５３Ｂから内側操作部５４及び突起５３Ｃを突出させている。進入スペース５３Ｂは、内側操作部５４及び突起５３Ｃが対向する規制壁２６（図４参照）が進入することができるように、内側操作部５４及び突起５３Ｃに沿う溝形状に形成されている。
【００７９】
内側操作部５４は、一対の規制壁２６（図４参照）の対向する側面の間を摺動しつつ、回転軸Ｃの軸線方向に移動可能な形状を有している。内側操作部５４は、回転軸Ｃの軸線方向に対する長さとして、規制壁２６の先端から右の分岐部２３Ｒの内周面２０ａ（図５参照）までの距離に対応する長さを有する。
【００８０】
突起５３Ｃは、内側操作部５４の両側面に突出するとともに、回転軸Ｃの軸線方向に延設された形状を有しており、規制壁２６の溝２７Ｇ内を回転軸Ｃの軸線方向に移動可能な形状をしている。突起５３Ｃは、回転軸Ｃの軸線方向に対する長さが規制壁２６の溝２７Ｇの長さに対応した長さであり、内側操作部５４の長さよりも短い長さである。具体的には、規制壁２６の先端から外周面２０ｂ（図４参照）までの距離である。
【００８１】
一対の係止平面５５は、内側操作部５４を長手方向に挟んで扇形状となるように配置されている。各係止平面５５は、回転軸Ｃの周方向において８分の１の角度よりも少し大きい角度（約５０°）に対応する角度範囲において回転軸Ｃの法線方向に延出されている。つまり、係止平面５５の角度範囲は、ロック部材６０の角度θ１よりも小さい。係止平面５５は、回転軸Ｃの法線方向に対する長さが内側フランジ６３の内周面６３Ｂに近接する長さを有している。係止平面５５は、回転軸Ｃからの距離が、その最外周が内周面６３Ｂに近接する長さであるとともに、内周面６３Ｂの突起６４には干渉する長さとなっている。
【００８２】
係止平面５５は、その最外縁に複数の凹部５６を備える。複数の凹部５６は、回転軸Ｃの軸線方向に溝状に延設された凹部であり、内周面６３Ｂの複数の突起６４に嵌合可能な形状を有する。係止平面５５においては、複数の凹部５６は、回転軸Ｃの方向に後退することによって突起６４に干渉しない長さとなっている。複数の凹部５６は、複数の突起６４と同じ角度間隔、例えば１０°で周方向に並べられている。
【００８３】
図１０を参照して、係止平面５５は、その複数の凹部５６が内周面６３Ｂの複数の突起６４に嵌合する状態にあればロック部材６０に対するボタン部材５０の回転軸Ｃを中心にした回転を防止する。すなわち、係止平面５５が、内周面６３Ｂの凹凸のある円弧状の面に対向するとき、ボタン部材５０の状態がメインバンド２１と調整バンド３０との相対回転を固定する固定状態となる。一方、図９を参照して、係止平面５５は、内周面６３Ｂの複数の突起６４に対向しないとき、ロック部材６０に対するボタン部材５０の回転軸Ｃを中心にした回転が許可される。すなわち、係止平面５５が、内周面６３Ｂの平らな円弧状の面に対向するとき、ボタン部材５０の状態がメインバンド２１と調整バンド３０との相対回転が可能になる回転状態となる。
【００８４】
ボタン部材５０及びロック部材６０はそれぞれ、メインバンド２１及び調整バンド３０よりも固い材料で形成されている。例えば、ボタン部材５０及びロック部材６０はそれぞれ、ポリアセタール、もしくはポリカーボネート等の硬質な樹脂材料から形成されている。なお、ボタン部材５０及びロック部材６０は、柔らかい材料であるとメインバンド２１の変形に追従するようになるが、耐久性、耐力や耐圧が低下する一方、硬い材料であればメインバンド２１の変形に追従しないが、耐久性、耐力や耐圧が向上するとともに、適切なすべり性能を得ることもできる。本実施形態では、これらを好適な状態にすることのできる材料としてポリアセタールが選択されている。
【００８５】
（作用）
図９及び図１０を参照して、本実施形態の作用について説明する。
まず、図９を参照して、ボタン部材５０が回転状態となる回転位置に配置されていて、メインバンド２１に対して調整バンド３０が回転可能な場合について説明する。
【００８６】
図９（ａ）に示すように、ボタン部材５０の第１の溝５３１が貫通孔６１の突起６１Ｄに嵌合しているとき、ボタン部材５０は、外側操作体５１の押圧部５１Ａが、ロック部材６０のフランジ６１Ａの開口から切替距離Ｌ１だけ凹んだ回転位置に配置される。回転位置は、ロック部材６０のフランジ６１Ａの開口に対して第１の溝５３１と第２の溝５３２との間隔に対応する高さ（＝切替距離Ｌ１）だけ貫通孔６１内に凹んだかたちになる。
【００８７】
一方、ボタン部材５０は、内側操作部５４の操作部端面５４ａが、内周面２０ａにある凹部２３Ａの底から突出している。内側操作部５４は、回転軸Ｃの軸線方向に対して内周面２０ａの凹部２３Ａ中において軸線方向に直立している。しかし、本実施形態では、操作部端面５４ａは、内周面２０ａよりも少し突出している部分には傾斜部を介して操作部端面５４ａが設けられている。
【００８８】
また、図９（ｂ）に示すように、貫通孔６１の突起６１Ｄに第１の溝５３１が嵌合しているとき、ボタン部材５０の係止平面５５は、内周面６３Ｂにおいて複数の突起６４のない平らな円弧状の面に対向する。
【００８９】
よって、ロック部材６０は、連結部３３とともに、ボタン部材５０の係止平面５５に対して回転可能であり、係止平面５５にロック部材６０の延出壁６１Ｂが当接しない範囲で規定された角度範囲で回動が可能である。本実施形態では、規定された角度範囲は、連結部３３の外側ガイド３９の壁３９Ｐと、メインバンド２１の回転止め２５とが当接する範囲で定まる。なお、規定された角度範囲が、ボタン部材５０の係止平面５５とロック部材６０の延出壁６１Ｂとの当接で定まってもよい。
【００９０】
次に、図１０を参照して、ボタン部材５０が固定状態となる固定位置に配置されていて、メインバンド２１に対して調整バンド３０が固定されている場合について説明する。
【００９１】
図１０（ａ）に示すように、ボタン部材５０の第２の溝５３２が貫通孔６１の突起６１Ｄに嵌合しているとき、ボタン部材５０は、外側操作体５１の押圧部５１Ａが、ロック部材６０のフランジ６１Ａの開口に揃う固定位置に配置される。固定位置は、回転位置からロック部材６０のフランジ６１Ａの開口に対して第１の溝５３１と第２の溝５３２との間隔に対応する高さ（＝切替距離Ｌ１）だけ貫通孔６１を外側に移動した位置になる。
【００９２】
一方、ボタン部材５０は、内側操作部５４の操作部端面５４ａが、内周面２０ａにある凹部２３Ａの底の方向に移動する。内側操作部５４は、回転軸Ｃの軸線方向に対して内周面２０ａの凹部２３Ａ中において軸線方向に直立しているが、操作部端面５４ａが凹部２３Ａの外縁を含む面である内周面２０ａよりも内側の位置まで移動している。
【００９３】
また、図１０（ｂ）に示すように、貫通孔６１の突起６１Ｄに第２の溝５３２が嵌合しているとき、ボタン部材５０の係止平面５５は、内周面６３Ｂにおいて複数の突起６４の存在する面である、凸凹のある円弧状の面に対向する。よって、ロック部材６０は、ボタン部材５０の係止平面５５の複数の凹部５６が複数の突起６４に嵌合することからボタン部材５０に対する相対位置が固定状態である。
【００９４】
貫通孔６１の突起６１Ｄは、ボタン部材５０の回転軸Ｃの軸線方向への移動を可能とするとともに、操作時に第１又は第２の溝５３１，５３２と嵌合してクリック感を生じさせる高さを有している。
【００９５】
このとき、本実施形態では、複数の突起６４と複数の凹部５６とが嵌合することから、回転軸Ｃを中心とする回転方向に対する固定力や耐久性が高まる。回転を止めるとき、係合している部分には大きな力が加わるが、複数の突起６４に複数の凹部５６が嵌合することで、係合部分に加わる力が分散されて、一組の突起６４と凹部５６とに加わる力が抑制される。
【００９６】
また、本実施形態では、複数の突起６４と複数の凹部５６とを係合させることで、切替角度を小さく設定することができる。係合する突起６４及び凹部５６の組数が少なければ一組に係る力が大きくなるので耐性を向上させるために突起や凹部を大きくしなければならないため、自ずと切替角度も大きくなる。これに対し、複数の突起６４と複数の凹部５６とを係合させることで、係る力を分散させて一組に係る力を低下させることで、突起や凹部の大きさを小さくして切替角度を細かくする、例えば、１０°にすることができる。
【００９７】
また、図９（ｂ）に示すように、ボタン部材５０が回転状態にあるとき、ボタン部材５０の凹部５６とロック部材６０の突起６４とが僅かに接触するようにすることで、ボタン部材５０に対してロック部材６０が相対回転したとき、いわゆるクリック感を角度毎に生じさせるようにしている。詳述すると、回転軸Ｃの軸線方向における係止平面５５の厚みと、ロック部材６０の内側フランジ６３において先端６３Ｕから突起６４までの空間距離とが略同じか、係止平面５５の厚みよりも空間距離の方が僅かに小さく設定されている。なお、係止平面５５の厚みを薄くしつつ、ロック部材６０の回転軸Ｃの軸線方向への移動距離を切替距離Ｌ１とすることができるようにするため、ロック部材６０の本体部６２の裏面６２Ｂへの対向する係止平面５５の表面５５Ａには、調整凸部５５Ｄが設けられている。調整凸部５５Ｄを設けることで、切替距離Ｌ１の調節が可能となり、ボタン部材５０やロック部材６０の製造や設計の自由度の向上が図られるようになる。
【００９８】
以上説明したように、本実施形態によれば、以下の効果が得られるようになる。
（１）ヘルメット１においてメインバンド２１と調整バンド３０（又は保持バンド４０）との２つの部材を回転可能に連結する連結機構は、そのボタン部材５０が回転軸Ｃの軸線方向に移動操作されることで、２つの部材の回転状態と固定状態とが切り替えられる。これにより、ヘルメット１において調整された位置を適切に維持することができる連結機構を提供することができる。
【００９９】
（２）メインバンド２１と調整バンド３０（又は保持バンド４０）との固定状態及び回転状態が、メインバンド２１に対して回転不能に取り付けられた操作部と、調整バンド３０（又は保持バンド４０）に回転不能に取り付けられたロック部との係合及び非係合とによって切り替えられる。
【０１００】
（３）ボタン部材５０が固定位置にあるとき、ロック部材６０の突起６４とボタン部材５０の凹部５６とが嵌合して回転軸Ｃを中心とした回動が停止され、ボタン部材５０が回転位置にあるとき、ロック部材６０の突起６４とボタン部材５０の凹部５６とが回動する方向に干渉しないので回転軸Ｃを中心とした回動が可能になる。これにより、メインバンド２１と調整バンド３０（又は保持バンド４０）とは、相対的な固定（停止）及び回動を切り替えられるようになる。
【０１０１】
（４）調整バンド３０及び保持バンド４０をメインバンド２１に対して回動可能に連結させることができる。すなわち、ヘルメット１の後方で調整バンド３０及び保持バンド４０を上下移動させることが可能になる。これにより、ヘッドバンド２０の調整可能な範囲が広げられるようになる。
【０１０２】
また安全確保の観点から被りの深いヘルメット１も少なくないが、こうしてヘッドバンド２０がヘルメット１内に深く入り込んだヘルメット１であれ、調整バンド３０及び保持バンド４０の位置を下げることによりバックル４９をヘルメット１から露出させて締め付け調整を容易に行うことができるようにもなる。
【０１０３】
（５）メインバンド２１に対して上下方向に移動する調整バンド３０（又は保持バンド４０）がメインバンド２１の外周側にあるので、メインバンド２１と調整バンド３０（又は保持バンド４０）との間に頭髪等が挟み込まれたりするおそれが小さい。また、頭部側への突出が少なくなり、頭部への接触等が生じるおそれが小さい。
【０１０４】
また、ヘッドバンド２０の外周側にある調整バンド３０（又は保持バンド４０）側への操作で固定状態になるので、メインバンド２１への頭部等の接触によってボタン部材５０が回転状態に操作されるおそれもない。よって、固定状態が維持される。
【０１０５】
（６）ボタン部材５０は、外周方向には、回転状態及び固定状態のいずれの配置位置であっても調整バンド３０又は保持バンド４０から突出しない。また、ボタン部材５０は、内周方向には、メインバンド２１に対して、固定状態の配置位置にあるときは突出せず、回転状態の配置位置にあるときも実質的に突出しない。このようにボタン部材５０が突出しないことからヘルメット１の使用中を含めて、不用意に操作されたり、物が引っかかったりするおそれが低減される。
【０１０６】
（７）固定状態に切り替える操作が可能な回転角度が１０°毎に定まっていることから、角度の位置合わせや固定が容易になる。
【０１０７】
（８）目盛り３８Ａを設けたことで、ヘルメット１におけるメインバンド２１と調整バンド３０（又は保持バンド４０）との相対角度を視認することができる。すなわち、変化させた角度を視認することができるようになる。また、角度調整が適切に行われるようにもなる。
【０１０８】
（９）ボタン部材５０の固定状態と回転状態とがボタン部材５０の外周壁５３にある第１及び第２の溝５３１，５３２とロック部材６０の貫通孔６１にある突起６１Ｄとの嵌合によって規定されるのでボタン部材５０の固定状態及び回転状態への操作が容易になる。
【０１０９】
（他の実施形態）
なお、上記実施形態は、以下のような形態をもって実施することもできる。
・上記実施形態では、ボタン部材５０及びロック部材６０はそれぞれ、メインバンド２１及び調整バンド３０よりも固い材料で形成されている場合について例示したが、これに限らず、耐摩耗性等が確保されて耐久性が維持できるのであればボタン部材やロック部材がメインバンドや調整バンドと同様の材料から構成されていてもよい。
【０１１０】
・上記実施形態では、回転状態にあるとき、ボタン部材５０の凹部５６とロック部材６０の突起６４とが僅かに接触するようにすることで角度毎にクリック感を生じさせるようにした。しかしこれに限らず、クリック感を生じさせる構成をボタン部材とロック部材とに設けてもよい。例えば、ロック部材に突起とは異なる滑りやすい突起を設け、ボタン部材に突起を滑る凹凸を設けるようにしてもよい。
【０１１１】
・上記実施形態では、ボタン部材５０の第１及び第２の溝５３１，５３２にロック部材６０の突起６１Ｄが嵌合する場合について例示した。しかしこれに限らず、回転状態や固定状態を維持することができるのであれば第１の溝及び第２の溝のうちの少なくとも一方が設けられていなくてもよい。また、溝が一つもないときロック部材の突起が設けられていなくてもよい。
【０１１２】
・上記実施形態では、ボタン部材５０に２つの溝が設けられている場合について例示したが、３つ以上設けられてもよい。
【０１１３】
・上記実施形態では、突起６１Ｄは、点状の突起である場合について例示したが、これに限らず、突起は周方向に長さを有する突起であってもよい。
【０１１４】
・上記実施形態では、調整角度の範囲が４０°の範囲である場合について例示したが、これに限らず、調整角度の範囲は４０°未満の範囲であってもよいし、４０°よりも大きい範囲であってもよい。
【０１１５】
・上記実施形態では、目盛り３８Ａは、１０°毎に５つの切れ込み３８Ｓを有する場合について例示したが、これに限らず、切れ込みの数は５つ未満でも、５つより多くてもよい。また、切れ込みの間隔は１０°未満でも、１０°より大きくてもよい。
【０１１６】
・上記実施形態では、目盛り３８Ａが設けられている場合について例示したが、これに限らず、目盛り３８Ａが設けられていなくてもよい。
【０１１７】
・上記実施形態では、固定角度が１０°毎に等間隔である場合について例示したが、これに限らず、固定角度が１０°より小さくても、逆に１０°より大きくてもよい。また、固定角度が等間隔ではなくてもよい。
【０１１８】
また、固定角度が略無段階であってもよい。例えば、固定状態においてボタン部材とロック部材との接触抵抗を高めて、回転状態において同接触抵抗を無くすようにすることで、ボタン部材とロック部材との切離を切り替えるようにすれば、より細かい角度で、又は、略無段階に固定状態を設定することができる。
【０１１９】
・上記実施形態では、ボタン部材５０は、回転状態及び固定状態のいずれの配置位置であっても調整バンド３０又は保持バンド４０側に対して突出しない場合について例示した。また、ボタン部材５０は、メインバンド２１に対して、固定状態の配置位置にあるときは突出せず、回転状態にあるときも実質的に突出しない場合について例示した。
【０１２０】
しかしこれに限らず、ボタン部材は、固定状態にあるとき、調整バンド又は保持バンドに対して外周方向に突出してもよい。ヘルメットの使用時の位置である固定状態にあるとき、ヘルメットの外周方向に突出したとしても頭部等に接触するおそれがない。また、ボタン部材は、回転状態にあるとき、メインバンド２１に対して内周方向に突出してもよい。ヘルメットのバンド調整が可能である回転状態にあるとき、ヘルメットの内周方向へ多少突出したとしても調整時であれば違和感は小さい。かつ、ボタン部材は、回転状態にあるとき、調整バンド又は保持バンドに対して突出しないことで、固定状態への移動操作が妨げられるおそれも小さい。
【０１２１】
・上記実施形態では、ボタン部材５０の調整バンド３０側への移動操作で固定状態になる場合について例示した。しかしこれに限らず、操作部の調整バンド側への移動操作で回転状態となってもよい。この場合、１．操作部を回転状態に操作されたヘルメットを被る、２．調整バンド及び保持バンドの角度を調整する、３．ヘルメットとヘッドバンドとの間の空間を利用して操作部をメインバンド側に移動操作する、という操作により調整した位置を固定することができるようになる。すなわち、調整後、操作部を固定状態に変更することが容易になる。
【０１２２】
・上記実施形態では、第１の部材がメインバンド２１であり、調整バンド３０及び保持バンド４０がそれぞれ第２の部材である場合について例示した。しかしこれに限らず、第２の部材がメインバンドであり、調整バンド及び保持バンドがそれぞれ第１の部材であってもよい。
【０１２３】
・上記実施形態では、調整バンド３０及び保持バンド４０がそれぞれ第２の部材である場合について例示した。しかしこれに限らず、調整バンド又は保持バンドのみが第２の部材であってもよい。
【０１２４】
・上記実施形態では、連結機構を構成する部材連結部２０Ｊと、ボタン部材５０と、ロック部材６０とがヘッドバンドに設けられている場合について例示した。しかし、これに限らず、連結機構はヘルメットに設けられる部材の位置調整に用いられるのであれば、ヘルメット用シールドや通気孔、その他付属品等の位置調整に用いられてもよい。
【０１２５】
・上記実施形態では、ロック部材６０とボタン部材５０とを相互回転できないようにするとき、ロック部材６０の内側フランジ６３の突起６４に、ボタン部材５０の係止平面５５先端の凹部５６が嵌合する場合について例示した。しかしこれに限らず、ロック部材とボタン部材とを相互回転不能に係合させることができるのであれば、例えば、回転軸の軸線方向に向かい合う対向面を設け、それら対向面を接離させることでそれら対向面の表面に設けた突起と凹部とが嵌合可能に設けられてもよい。また、例えば、外周に凹凸を有する柱をロック部材の中心に設け、操作部の凹凸部を柱の周囲を挿入させる穴の内周面に設けてもよい。
【０１２６】
・上記実施形態では、ボタン部材５０とロック部材６０とが部材連結部２０Ｊとは別部材として設けられている場合について例示した。しかしこれに限らず、ロック部材に対応する構造をメインバンドの分岐部や、調整バンドの連結部や、保持バンドの連結部に備えることができれば、ロック部材が分岐部や連結部に一体として設けられていてもよい。
【０１２７】
例えば、調整バンドや保持バンド側を表面とするボタン部材の裏面にメインバンドを貫通する操作凸部と、メインバンドに対向するロック用の凹凸を設け、ロック用の凹凸をメインバンドに設けられた凹凸に嵌合可能にしてもよい。この場合、ボタン表面が押されると、ボタン部材のロック用の凹凸とメインバンドの凹凸とが嵌合して回動が固定される。逆に、操作凸部が押されると、ボタン部材のロック用の凹凸とメインバンドの凹凸とが離間して回動が可能になる。
また、例えば、メインバンド側を表面とするボタン部材の裏面に調整バンドや保持バンドを貫通する操作凸部と、調整バンドや保持バンドに対向するロック用の凹凸を設け、ロック用の凹凸を調整バンドや保持バンドに設けられた凹凸に嵌合可能にしてもよい。この場合、ボタン表面が押されると、ボタン部材のロック用の凹凸と調整バンドや保持バンドの凹凸とが嵌合して回動が固定される。逆に、操作凸部が押されると、ボタン部材のロック用の凹凸と調整バンドや保持バンドの凹凸とが離間して回動が可能になる。
【符号の説明】
【０１２８】
１…ヘルメット、１０…帽体、１２…開口部、１３…庇部、１４…折り返し部、２０…ヘッドバンド、２０ａ…内周面、２０ｂ…外周面、２０Ｊ，２０ＪＬ，２０ＪＲ…部材連結部、２１…メインバンド、２２…バンド係止部、２３…分岐部、２３Ａ…凹部、２３Ｈ…貫通孔、２３Ｌ…分岐部、２３Ｍ…指示マーク、２３Ｒ…分岐部、２４…内側ガイド、２４Ｈ…貫通孔、２４Ｊ…爪、２４Ｐ…壁、２５…回転止め、２６…規制壁、２７…張出部分、２７Ｇ…溝、３０…調整バンド、３０ａ…内周面、３０ｂ…外周面、３１…バンド面、３２…凹部、３３…連結部、３４…中間部、３５…調整部、３６…増厚部、３７…外面部、３７Ｈ…貫通孔、３７Ｒ…裏面、３８…外周壁、３８Ａ…目盛り、３８Ｂ…内周、３８Ｓ…切れ込み、３９…外側ガイド、３９Ｈ…貫通孔、３９Ｊ…爪、３９Ｐ…壁、４０…保持バンド、４１…バンド面、４３…連結部、４４…中間部、４５…保持部、４６…バックル取付部、４７…バンド保持部、４９…バックル、５０…ボタン部材、５１…外側操作体、５１Ａ…押圧部、５２…長孔、５３…外周壁、５３Ａ…内側面、５３Ｂ…進入スペース、５３Ｃ…突起、５４…内側操作部、５４ａ…操作部端面、５５…係止平面、５５Ａ…表面、５５Ｂ…裏面、５５Ｄ…調整凸部、５６…凹部、６０…ロック部材、６１…貫通孔、６１Ａ…フランジ、６１Ｂ…延出壁、６１Ｄ…突起、６１Ｇ…先端、６２…本体部、６２Ａ…表面、６２Ｂ…裏面、６３…内側フランジ、６３Ａ…外側、６３Ｂ…内周面、６３Ｅ…弧状端部、６３Ｔ…境界部分、６３Ｕ…先端、６４…突起、５３１…第１の溝、５３２…第２の溝、Ｃ…回転軸、Ｌ１…切替距離。
【図１】
2019065438.tif 000003
【図２】
2019065438.tif 000004
【図３】
2019065438.tif 000005
【図４】
2019065438.tif 000006
【図５】
2019065438.tif 000007
【図６】
2019065438.tif 000008
【図７】
2019065438.tif 000009
【図８】
2019065438.tif 000010
【図９】
2019065438.tif 000011
【図１０】
2019065438.tif 000012